(57)【要約】  本発明に係る移動局ＵＥは、受信したハンドオーバ情報に応じて第１セルから第２セルにハンドオーバした際に、第２セルにおける報知情報を受信するように構成されている受信部１１と、受信部１１によって報知情報の受信に成功した場合に、報知情報を用いて第２セルにおける通信を開始し、受信部１１によって報知情報の受信に失敗したと判断した場合に、再接続処理を行うように構成されている制御部１２とを具備する。
2010053159.tif 000002
【特許請求の範囲】
【請求項１】
受信したハンドオーバ情報に応じて第１セルから第２セルにハンドオーバした後に、該第２セルにおける報知情報を受信するように構成されている受信部と、
前記受信部によって前記報知情報の受信に成功した場合に、該報知情報を用いて前記第２セルにおける通信を継続し、該受信部によって該報知情報の受信に失敗したと判断した場合に、再接続処理を行うように構成されている制御部とを具備することを特徴とする移動局。
【請求項２】
前記制御部は、前記受信部によって該報知情報の受信に失敗したと判断した場合に、該第２セル以外のセルに対する再接続処理を行うように構成されていることを特徴とする請求項１に記載の移動局。
【請求項３】
前記受信部が、前記報知情報に含まれる主要情報ブロックの受信に失敗した場合に、前記制御部は、該受信部によって該報知情報の受信に失敗したと判断するように構成されていることを特徴とする請求項１に記載の移動局。
【請求項４】
前記受信部は、前記報知情報に含まれる主要情報ブロックを受信し、該主要情報ブロックに含まれる情報に基づいて該報知情報に含まれる第１システム情報ブロックを受信するように構成されており、
前記受信部が、前記主要情報ブロックの受信に成功した後、前記第１システム情報ブロックの受信に失敗した場合に、前記制御部は、該受信部によって該報知情報の受信に失敗したと判断するように構成されていることを特徴とする請求項１に記載の移動局。
【請求項５】
前記受信部は、前記報知情報に含まれる主要情報ブロックを受信し、該主要情報ブロックに含まれる情報に基づいて該報知情報に含まれる第１システム情報ブロックを受信し、該第１システム情報ブロックに含まれるスケジューリング情報に基づいて該報知情報に含まれる第２システム情報ブロックを受信するように構成されており、
前記受信部が、前記主要情報ブロック及び前記第１システム情報ブロックの受信に成功した後、前記第２システム情報ブロックの受信に失敗した場合に、前記制御部は、該受信部によって該報知情報の受信に失敗したと判断するように構成されていることを特徴とする請求項１に記載の移動局。
【請求項６】
前記受信部は、前記報知情報に含まれる主要情報ブロックを受信し、該主要情報ブロックに含まれる情報に基づいて該報知情報に含まれる第１システム情報ブロックを受信し、該第１システム情報ブロックに含まれる情報に基づいて該報知情報に含まれる第２システム情報ブロックを受信するように構成されており、
前記受信部が、前記主要情報ブロック及び前記第１システム情報ブロックの受信に成功した後、該第１システム情報ブロックに前記スケジューリング情報が含まれていない場合に、前記制御部は、該受信部によって該報知情報の受信に失敗したと判断するように構成されていることを特徴とする請求項１に記載の移動局。
【請求項７】
前記制御部は、所定期間内に前記受信部によって前記報知情報の受信に成功しない場合に、該受信部によって該報知情報の受信に失敗したと判断するように構成されていることを特徴とする請求項１に記載の移動局。
【請求項８】
前記受信部が、所定回数だけ前記報知情報の受信を試みたにも関らず、該報知情報の受信に成功しなかった場合に、前記制御部は、該受信部によって該報知情報の受信に失敗したと判断するように構成されていることを特徴とする請求項１に記載の移動局。
【請求項９】
前記制御部は、該受信部によって該報知情報の受信に失敗したと判断した場合に、一定期間、該第２セルをセル棄却した後、該第２セル以外のセルに対する再接続処理を行うように構成されている請求項２に記載の移動局。
【請求項１０】
移動局が、受信したハンドオーバ情報に応じて第１セルから第２セルにハンドオーバした後に、該第２セルにおける報知情報を受信する工程と、
前記移動局が、前記報知情報の受信に成功した場合に、該報知情報を用いて前記第２セルにおける通信を開始する工程Ａと、
前記移動局が、前記報知情報の受信に失敗したと判断した場合に、再接続処理を行う工程Ｂとを有することを特徴とする移動通信方法。
【請求項１１】
前記工程Ｂにおいて、前記移動局が、前記報知情報の受信に失敗したと判断した場合に、前記第２セル以外のセルに対する再接続処理を行うことを特徴とする請求項１０に記載の移動通信方法。
【請求項１２】
前記工程Ｂにおいて、前記移動局が、前記報知情報の受信に失敗したと判断した場合に、一定期間、該第２セルをセル棄却した後、前記第２セル以外のセルに対する再接続処理を行うことを特徴とする請求項１１に記載の移動通信方法。
【発明の詳細な説明】
【技術分野】
【０００１】
本発明は、移動局及び移動通信方法に関する。
【背景技術】
【０００２】
３ＧＰＰで規定されているＬＴＥ（Ｌｏｎｇ  Ｔｅｒｍ  Ｅｖｏｌｕｔｉｏｎ）方式の移動通信システムでは、通信中（ＲＲＣ_ＣＯＮＮＥＣＴＥＤ状態）の移動局ＵＥが、第１セルから第２セルにハンドオーバした場合に、第２セルにおいて、ＭＩＢ（Ｍａｓｔｅｒ  Ｉｎｆｏｒｍａｔｉｏｎ  Ｂｌｏｃｋ、主要情報ブロック）やＳＩＢ１（Ｓｙｓｔｅｍ  Ｉｎｆｏｒｍａｔｉｏｎ  Ｂｌｏｃｋ  １、第１システム情報ブロック）やＳＩＢ２（Ｓｙｓｔｅｍ  Ｉｎｆｏｒｍａｔｉｏｎ  Ｂｌｏｃｋ  ２、第２システム情報ブロック）等を含む報知情報を送信し、かかるＭＩＢやＳＩＢ１やＳＩＢ２に含まれる情報等に基づいて、通信を継続するように構成されている。
【発明の概要】
【発明が解決しようとする課題】
【０００３】
しかしながら、現在のＬＴＥ方式の移動通信システムでは、通信中の移動局ＵＥが、ハンドオーバ先セルである第２セルにおいて、報知情報の受信に失敗した場合に、どのように動作すべきか規定されておらず、通信を継続することができなくなるという問題点があった。【０００４】
そこで、本発明は、上述の課題に鑑みてなされたものであり、第１セルから第２セルにハンドオーバした場合に、第２セルにおいて、報知情報の受信に失敗した場合であっても通信を継続することができる移動局及び移動通信方法を提供することを目的とする。
【課題を解決するための手段】
【０００５】
本発明の第１の特徴は、移動局であって、受信したハンドオーバ情報に応じて第１セルから第２セルにハンドオーバした後に、該第２セルにおける報知情報を受信するように構成されている受信部と、前記受信部によって前記報知情報の受信に成功した場合に、該報知情報を用いて前記第２セルにおける通信を継続し、該受信部によって該報知情報の受信に失敗したと判断した場合に、再接続処理を行うように構成されている制御部とを具備することを要旨とする。【０００６】
本発明の第２の特徴は、移動通信方法であって、移動局が、受信したハンドオーバ情報に応じて第１セルから第２セルにハンドオーバした後に、該第２セルにおける報知情報を受信する工程Ａと、前記移動局が、前記報知情報の受信に成功した場合に、該報知情報を用いて前記第２セルにおける通信を開始する工程Ｂと、前記移動局が、前記報知情報の受信に失敗したと判断した場合に、再接続処理を行う工程とを有することを要旨とする。
【発明の効果】
【０００７】
以上説明したように、本発明によれば、第１セルから第２セルにハンドオーバした場合に、第２セルにおいて、報知情報の受信に失敗した場合であっても、通信を継続することができる移動局及び移動通信方法を提供することができる。
【図面の簡単な説明】
【０００８】
【図１】図１は、本発明の第１の実施形態に係る移動通信システムの全体構成図である。
【図２】図２は、本発明の第１の実施形態に係る移動局の機能ブロック図である。
【図３】図３は、本発明の第１の実施形態に係る移動局の動作を示すフローチャートである。
【発明を実施するための形態】
【０００９】
（本発明の第１の実施形態に係る移動通信システムの構成）
図１及び図２を参照して、本発明の第１の実施形態に係る移動通信システムの構成について説明する。
【００１０】
図１に示すように、例えば、本実施形態に係る移動通信システムは、ＬＴＥ方式の移動通信システムであって、セル１と、セル２と、セル３とを具備するものとする。
【００１１】
以下、本実施形態では、移動局ＵＥが、セル１（第１セル）からセル２（第２セル）にハンドオーバする場合の例について説明する。
【００１２】
図２に示すように、移動局ＵＥは、送受信部１１と、制御部１２と、メモリ１３とを具備している。
【００１３】
送受信部１１は、各セルを管理する無線基地局ｅＮＢとの間で、無線リンクを介して通信を行うように構成されている。
【００１４】
具体的には、送受信部１１は、移動局ＵＥが在圏しているセルにおいて送信されている報知情報（例えば、ＭＩＢやＳＩＢ１やＳＩＢ２等）を受信するように構成されている。
【００１５】
例えば、送受信部１１は、移動局ＵＥが、セル１からセル２にハンドオーバした際に、セル２における報知情報に含まれるＭＩＢを受信し、ＭＩＢに含まれる情報に基づいて報知情報に含まれるＳＩＢ１を受信し、ＳＩＢ１に含まれるスケジューリング情報に基づいて報知情報に含まれるＳＩＢ２を受信するように構成されている。
【００１６】
なお、送受信部１１は、上述の報知情報を最初に受信することができなかったときから、所定期間が経過する（所定タイマが満了する）までの間、かかる報知情報の受信を繰り返し試みるように構成されていてもよい。
【００１７】
また、送受信部１１は、上述の報知情報を最初に受信することができなかった場合、所定回数だけ、かかる報知情報の受信を繰り返し試みるように構成されていてもよい。
【００１８】
制御部１２は、ハンドオーバ処理や再接続処理等を行うように構成されている。また、制御部１２は、送受信部１１によって受信された報知情報に対する受信処理を行うように構成されており、受信処理を施した後に当該報知情報をメモリ１３に記憶するように構成されている。
【００１９】
ここで、制御部１２は、無線基地局ｅＮＢから受信したハンドオーバコマンド（ハンドオーバ情報）に応じて、移動局ＵＥがセル１からセル２にハンドオーバするための処理を行うように構成されている。
【００２０】
制御部１２は、送受信部１１によって報知情報の受信に成功した場合に、かかる報知情報を用いてセル２における通信を継続するように構成されている。
【００２１】
一方、制御部１２は、送受信部１１によって報知情報の受信に失敗したと判断した場合に、セル２において無線リンク障害（ＲＬＦ：Ｒａｄｉｏ  Ｌｉｎｋ  Ｆａｉｌｕｒｅ）が発生したものとして、再接続処理を行うように構成されている。
【００２２】
なお、制御部１２は、送受信部１１によって報知情報の受信に失敗したと判断した場合に、セル２において無線リンク障害（ＲＬＦ：Ｒａｄｉｏ  Ｌｉｎｋ  Ｆａｉｌｕｒｅ）が発生したものとして、一定期間、セル２をセル棄却するように設定し、その後、セル２以外のセル（例えば、セル３）に対する再接続処理を行うように構成されていてもよい。
【００２３】
ここで、「セル２をセル棄却する処理」は、「３ＧＰＰ  ＴＳ３６.３０４  ｖ８.３.０」に規定されている「ｂａｒｒｅｄ」に対応する動作であり、セル２をセル選択（Ｃｅｌｌ  Ｓｅｌｅｃｔｉｏｎ）及びセル再選択（Ｃｅｌｌ  Ｒｅｓｅｌｅｃｔｉｏｎ）候補から外すための処理のことを意味する。
【００２４】
例えば、送受信部１１が、報知情報に含まれるＭＩＢの受信に失敗した場合に、制御部１２は、送受信部１１によって報知情報の受信に失敗したと判断し、一定期間、セル２をセル棄却し、セル２以外のセルに対する再接続処理を行うように構成されていてもよい。
【００２５】
また、送受信部１１が、ＭＩＢの受信に成功した後、ＳＩＢ１の受信に失敗した場合に、制御部１２は、送受信部１１によって報知情報の受信に失敗したと判断し、一定期間、セル２をセル棄却し、セル２以外のセルに対する再接続処理を行うように構成されていてもよい。
【００２６】
また、送受信部１１が、ＭＩＢ及びＳＩＢ１の受信に成功した後、ＳＩＢ２の受信に失敗した場合に、制御部１２は、送受信部１１によって報知情報の受信に失敗したと判断し、一定期間、セル２をセル棄却し、セル２以外のセルに対する再接続処理を行うように構成されていてもよい。
【００２７】
さらに、送受信部１１が、ＭＩＢ及びＳＩＢ１の受信に成功した後、ＳＩＢ１に、ＳＩＢ２についてのスケジューリング情報が含まれていない場合に、制御部１２は、送受信部１１によって報知情報の受信に失敗したと判断し、一定期間、セル２をセル棄却し、セル２以外のセルに対する再接続処理を行うように構成されていてもよい。
【００２８】
また、制御部１２は、所定期間内に送受信部１１によって報知情報の受信に成功しない場合に、送受信部１１によって報知情報の受信に失敗したと判断し、一定期間、セル２をセル棄却し、セル２以外のセルに対する再接続処理を行うように構成されていてもよい。
【００２９】
或いは、送受信部１１が、所定回数だけ報知情報の受信が試みたにも関らず、報知情報の受信に成功しない場合に、制御部１２は、送受信部１１によって報知情報の受信に失敗したと判断し、一定期間、セル２をセル棄却し、セル２以外のセルに対する再接続処理を行うように構成されていてもよい。
【００３０】
なお、セル２において、ＭＩＢやＳＩＢ１やＳＩＢ２が送信されていない場合も、制御部１２は、送受信部１１によって報知情報の受信に失敗したと判断し、一定期間、セル２をセル棄却し、セル２以外のセルに対する再接続処理を行うように構成されていてもよい。
【００３１】
ここで、送受信部１１が、上述の報知情報を受信できない場合、制御部１２は、報知情報が変更される期間を示す「Ｍｏｄｉｆｉｃａｔｉｏｎ  Ｐｅｒｉｏｄ（変更期間）」を認識することができない。
【００３２】
また、送受信部１１が、上述の報知情報を受信できない場合、制御部１２は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）用ページング信号（すなわち、緊急用ページング信号）を受信することができない。
【００３３】
また、送受信部１１が、上述の報知情報を受信できない場合、制御部１２は、所定のタイマやパラメータを利用することができない。
【００３４】
さらに、送受信部１１が、上述の報知情報を受信できない場合、制御部１２は、ＰＬＭＮ（Ｐｕｂｌｉｃ  Ｌａｎｄ  Ｍｏｂｉｌｅ  Ｎｅｔｗｏｒｋ）-ＩＤや、ＴＡ（Ｔｒａｃｋｉｎｇ  Ａｒｅａ）-ＩＤや、セルＩＤ等を取得することができない。
【００３５】
メモリ１３は、送受信部１１によって受信された報知情報等を保持するように構成されている。
【００３６】
（本発明の第１の実施形態に係る移動通信システムの動作）
図３を参照して、本発明の第１の実施形態に係る移動通信システムの動作、具体的には、本発明の第１の実施形態に係る移動通信システムで用いられる移動局ＵＥの動作について説明する。
【００３７】
図３に示すように、ステップＳ１０１において、移動局ＵＥは、セル１からセル２にハンドオーバする。
【００３８】
ステップＳ１０２において、移動局ＵＥは、ＭＩＢやＳＩＢ１やＳＩＢ２等の報知情報に対する受信処理を行う。かかる受信処理に成功した場合、本動作は、ステップＳ１０３に進み、かかる受信処理に失敗したと判断した場合、本動作は、ステップＳ１０４に進む。
【００３９】
ステップＳ１０３において、移動局ＵＥは、セル２において、かかる報知情報等を用いて、通信を継続する。
【００４０】
ステップＳ１０４において、移動局ＵＥは、一定期間、セル２をセル選択及びセル再選択候補から外す、すなわち、セル２を棄却する。
【００４１】
ステップＳ１０５において、移動局ＵＥは、セル２或いはセル２以外のセルに対して再接続処理を行う。
【００４２】
ステップＳ１０６において、移動局ＵＥは、再接続先セルにおいて、かかる再接続先セルにおいて受信した報知情報等を用いて、通信を継続する。
【００４３】
なお、上述の動作において、ステップＳ１０４が行われなくてもよい。
【００４４】
（本発明の第１の実施形態に係る移動通信システムの作用・効果）
本発明の第１の実施形態に係る移動通信システムによれば、移動局ＵＥは、ハンドオーバ先のセルにおいて、報知情報の受信に失敗したと判断した場合には、他のセルに対して再接続することによって、通信を継続することができる。
【００４５】
以上に述べた本実施形態の特徴は、以下のように表現されていてもよい。
【００４６】
本実施形態の第１の特徴は、移動局ＵＥであって、受信したハンドオーバ情報（例えば、ハンドオーバコマンド）に応じてセル１（第１セル）からセル２（第２セル）にハンドオーバした際に、セル２における報知情報（例えば、ＭＩＢやＳＩＢ１やＳＩＢ２等）を受信するように構成されている送受信部１１と、送受信部１１によって報知情報の受信に成功した場合に、報知情報を用いてセル２における通信を継続し、送受信部１１によって報知情報の受信に失敗したと判断した場合に、再接続処理を行うように構成されている制御部１２とを具備することを要旨とする。
【００４７】
ここで、再接続先のセルの候補としては、セル２以外のセル（例えば、セル３）であってもよいし、セル２を含むセルであってもよい。
【００４８】
本実施形態の第１の特徴において、制御部１２は、受信部１１によって報知情報の受信に失敗したと判断した場合に、セル２以外のセル（例えば、セル３）に対する再接続処理を行うように構成されていてもよい。
【００４９】
本実施形態の第１の特徴において、送受信部１１が、報知情報に含まれるＭＩＢの受信に失敗した場合に、制御部１２は、送受信部１１によって報知情報の受信に失敗したと判断するように構成されていてもよい。
【００５０】
本実施形態の第１の特徴において、送受信部１１は、報知情報に含まれるＭＩＢを受信し、ＭＩＢに含まれる情報に基づいて報知情報に含まれるＳＩＢ１を受信するように構成されており、送受信部１１が、ＭＩＢの受信に成功した後、ＳＩＢ１の受信に失敗した場合に、制御部１２は、送受信部１１によって報知情報の受信に失敗したと判断するように構成されていてもよい。
【００５１】
本実施形態の第１の特徴において、送受信部１１は、報知情報に含まれるＭＩＢを受信し、ＭＩＢに含まれる情報に基づいて報知情報に含まれるＳＩＢ１を受信し、ＳＩＢ１に含まれるスケジューリング情報に基づいて報知情報に含まれるＳＩＢ２を受信するように構成されており、送受信部１１が、ＭＩＢ及びＳＩＢ１の受信に成功した後、ＳＩＢ２の受信に失敗した場合に、制御部１２は、送受信部１１によって報知情報の受信に失敗したと判断するように構成されていてもよい。
【００５２】
本実施形態の第１の特徴において、送受信部１１は、報知情報に含まれるＭＩＢを受信し、ＭＩＢに含まれる情報に基づいて報知情報に含まれるＳＩＢ１を受信し、ＳＩＢ１に含まれる情報に基づいて報知情報に含まれるＳＩＢ２を受信するように構成されており、送受信部１１が、ＭＩＢ及びＳＩＢ１の受信に成功した後、ＳＩＢ１にスケジューリング情報が含まれていない場合に、制御部１２は、送受信部１１によって報知情報の受信に失敗したと判断するように構成されていてもよい。
【００５３】
本実施形態の第１の特徴において、制御部１２は、所定期間内に送受信部１１によって報知情報の受信に成功しない場合に、送受信部１１によって報知情報の受信に失敗したと判断するように構成されていてもよい。
【００５４】
本実施形態の第１の特徴において、送受信部１１が、所定回数だけ報知情報の受信を試みたにも関らず、報知情報の受信に成功しない場合に、制御部１２は、送受信部１１によって報知情報の受信に失敗したと判断するように構成されていてもよい。
【００５５】
本実施形態の第１の特徴において、制御部１２は、送受信部１１によって報知情報の受信に失敗したと判断した場合に、一定期間、セル２をセル棄却した後、セル２以外のセル（例えば、セル３）に対する再接続処理を行うように構成されていてもよい。
【００５６】
本実施形態の第２の特徴は、移動通信方法であって、移動局ＵＥが、受信したハンドオーバ情報に応じてセル１からセル２にハンドオーバした際に、セル２における報知情報を受信する工程Ａと、移動局ＵＥが、報知情報の受信に成功した場合に、報知情報を用いてセル２における通信を開始する工程と、移動局ＵＥが、報知情報の受信に失敗したと判断した場合に、再接続処理を行う工程Ｂとを有することを要旨とする。
【００５７】
本実施形態の第２の特徴において、工程Ｂにおいて、移動局ＵＥが、報知情報の受信に失敗したと判断した場合に、第２セル以外のセルに対する再接続処理を行ってもよい。
【００５８】
本実施形態の第２の特徴において、工程Ｂにおいて、移動局ＵＥが、報知情報の受信に失敗したと判断した場合に、一定期間、セル２をセル棄却した後、セル２以外のセルに対する再接続処理を行ってもよい。
【００５９】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００６０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００６１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００６２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2010053159.tif 000003
【図２】
2010053159.tif 000004
【図３】
2010053159.tif 000005
【国際調査報告】
2010053159.tif 000006
2010053159.tif 000007
2010053159.tif 000008
2010053159.tif 000009